(57)【要約】【課題】損傷された歯を代替する人工歯が人工歯根なしにまたは隣接歯を削ることなく便利で、且つ安全に施術することができる無切削ブリッジ歯科補綴物を提供する。【解決手段】  抜歯部位に挿入される人工歯と；抜歯部位の両側の歯の後面に密着されて固定され、人工歯が前方に挿入されて固定されるブリッジと；人工歯とブリッジとを結合する結合部材とで構成される無切削ブリッジ歯科補綴物において、前記人工歯の後面には結合部材が一体に設置され、前記結合部材の上側と中間には下方に所定角度傾斜された係止片と結合突起が突出して形成され、前記ブリッジは結合部材の結合突起が形成された位置と対応する位置に結合突起と対応する形状に結合孔が形成されて、人工歯に一体に設置された結合部材を対角方向に抜歯部位に挿入して、抜歯部位の両側の歯に固定されたブリッジの結合孔に結合突起を挿入し、同時に、ブリッジの上端に係止片が係止されて人工歯が抜歯部位に堅固に固定されることを特徴とする無切削ブリッジ歯科補綴物が提供する。【選択図】図１
2014516754.tif 000002
【特許請求の範囲】
【請求項１】
抜歯部位に挿入される人工歯（１）と；
抜歯部位の両側の歯（Ｔ）の後面に密着されて固定され、人工歯（１）が前方に挿入されて固定されるブリッジ（２）と；
人工歯（１）とブリッジ（２）とを結合する結合部材とで構成された無切削ブリッジ歯科補綴物において、
前記人工歯（１）の後面には結合部材が一体に設置され、前記結合部材の上側と中間には下方に所定角度傾斜された係止片（３）と結合突起（４）が突出して形成され、
前記ブリッジ（２）は結合部材の結合突起（４）が形成された位置と対応する位置に結合突起（４）と対応する形状に結合孔（５）が形成され、
人工歯（１）に一体に設置された結合部材を対角方向に抜歯部位に挿入して、抜歯部位の両側の歯（Ｔ）に固定されたブリッジ（２）の結合孔（５）に結合突起（４）を挿入し、同時に、ブリッジ（２）の上端に係止片（３）が係止されて人工歯（１）が抜歯部位に堅固に固定されることを特徴とする無切削ブリッジ歯科補綴物。
【請求項２】
前記結合部材の上側に水平に突設され、下面が湾曲型に形成された支持片（９）が係止片（３）の代わりに形成され、前記結合突起（４）は支持片（９）の下面の曲面と同じ形状に突設されて、小臼歯と奥歯にも適用可能なことを特徴とする請求項１に記載の無切削ブリッジ歯科補綴物。
【請求項３】
前記結合突起（４）の端部には所定深さの接着溝（６）が形成され、前記結合孔（５）の内面には結合突起（４）（４）が結合孔（５）に挿入された状態で接着溝（６）に対応する位置に結合溝（５ａ）が形成され、結合溝（５ａ）と結合孔（５）の後側との間は結合孔（５）の前方の内径より大きく、結合溝（５ａ）の内径より小さく形成されて、バインダー（Ｂ）を結合孔（５）の後側から注入して人工歯（１）をブリッジ（２）に堅固に接着して固定することを特徴とする請求項１または２に記載の無切削ブリッジ歯科補綴物。
【請求項４】
前記人工歯（１）の両側と結合部材の前方両側は抜歯部位の両側の歯（Ｔ）が形成する空間より広く形成されて、人工歯（１）の前方から後方に力が作用しても抜歯部位の両側の歯（Ｔ）に堅固に係止されて固定されることによって人工歯（１）が後方に押されることが防止されることを特徴とする請求項１に記載の無切削ブリッジ歯科補綴物。
【発明の詳細な説明】
【技術分野】
【０００１】
本発明は損傷された歯を代替する人工歯が人工歯根なしにまたは隣接歯を削ることなく便利且つ安全に施術することができる無切削ブリッジ歯科補綴物に関する。
【先行技術文献】
【特許文献】
【０００２】
【特許文献１】韓国登録特許第１０−０９８３３１１号、２０１０年９月１４日
【発明の開示】
【発明が解決しようとする課題】
【０００３】
損傷された歯を修復するために一般的に用いられる補綴治療方法中の一つのクラウンブリッジ施術方法は、損傷された歯の両側に位置した健康な歯に人工歯の両側に形成されたキャップを被せて人工歯を健康な歯の間に固定する施術方法で、人工歯の両側に位置した健康な歯にキャップが被せられることができるようにキャップの厚さだけ健康な歯を削る加工をしなければならないという問題点があった。
【０００４】
上記した問題点を解決するために、本発明人は健康な歯の毀損なしに容易にブリッジ施術ができるように、抜歯部位に挿入される人工歯と；抜歯部位の両側の歯の後面に密着して固定され、人工歯が前方に挿入されて固定されるブリッジと；人工歯とブリッジとを結合する結合部材とで構成された文献１を発明した。
【０００５】
しかし、上記従来文献１は、人工歯が後方に押されることを防止するために、人工歯の両側に翼部が形成されることによって、施術後、歯の見掛けを損なうという短所があった。
【０００６】
また、結合部材が人工歯とブリッジとが結合された状態でねじで締結される構造を有することによって、狭い口の中で施術が不便であるという短所もあった。
【０００７】
従って、本発明は人工歯の両側と結合部材の前方両側を抜歯部位の両側歯が形成する間の空間より広く形成し、人工歯に一体に形成された結合部材がブリッジに前方から後方に挿入されて固定される構造を通じて、抜歯部位の両側の歯を削ることなく堅固に固定することができ、容易に施術することができる無切削ブリッジ歯科補綴物を提供することにその目的がある。
【課題を解決するための手段】
【０００８】
本発明は上記のような問題点を解消するために発明されたもので、抜歯部位に挿入される人工歯と；抜歯部位の両側の歯の後面に密着して固定され、人工歯が前方に挿入されて固定されるブリッジと；人工歯とブリッジとを結合する結合部材とで構成される無切削ブリッジ歯科補綴物において、上記人工歯の後面には結合部材が一体に設置され、上記結合部材の上側と中間には下方に所定角度傾斜された係止片と結合突起が突出して形成され、上記ブリッジは結合部材の結合突起が形成された位置と対応する位置に結合突起と対応する形状で結合孔が形成され、人工歯に一体に設置された結合部材を対角方向に抜歯部位に挿入し、抜歯部位の両側の歯に固定されたブリッジの結合孔に結合突起を挿入し、同時に、ブリッジの上端に係止片が係止されて人工歯が抜歯部位に堅固に固定されるようにすることを特徴とする無切削ブリッジ歯科補綴物を提供する。
【発明の効果】
【０００９】
本発明は抜歯部位に隣接した歯を削らなくても食べ物の咀嚼時抜歯部位に堅固に固定されて、歯科補綴物の脱落率が最小化され、人工歯以外に露出される部位がなくて見掛けがよく、結合部材が人工歯に一体に設置されることによって、施術者及び患者に不便を誘発しないで、簡便に施術することができる効果を奏する。
【図面の簡単な説明】
【００１０】
【図１】本発明の第１実施形態を示した分解斜視図である。
【図２】図１の結合状態を示した斜視図である。
【図３】本発明の第１実施形態を示した分解断面図である。
【図４】図３の結合状態を示した断面図である。
【図５】図３の結合状態を示した水平断面図である。
【図６】図２の正面図である。
【図７】本発明の第２実施形態を示した分解斜視図である。
【図８】本発明の第２実施形態を示した分解断面図である。
【図９】図８の結合状態を示した断面図である。
【図１０】本発明の第２実施形態の結合状態を示した水平断面図である。
【発明を実施するための形態】
【００１１】
以下、本発明の好ましい実施形態を添付した図面を参照して詳細に説明すれば次の通りである。 
【００１２】
本発明の無切削ブリッジ歯科補綴物１００は、抜歯部位に挿入される人工歯１と；抜歯部位の両側の歯Ｔの後面に密着して固定され、人工歯１が前方に挿入されて固定されるブリッジ２と；人工歯１とブリッジ２とを結合する結合部材とで構成される。 
【００１３】
上記人工歯１の後面には結合部材が一体に設置され、上記結合部材の上側と中間には下方に所定角度傾斜された係止片３と結合突起４が突出して形成され、上記ブリッジ２は結合部材の結合突起４が形成された位置と対応する位置に結合突起４と対応する形状に形成された結合孔５が形成される。
【００１４】
上記結合突起４の端部には所定深さの接着溝６が形成され、上記結合孔５の内面には結合突起４が結合孔５に挿入された状態で接着溝６に対応する位置に結合溝５ａが形成され、結合溝５ａと結合孔５の後側との間は結合孔５の前方の内径より大きく、結合溝５ａの内径より小さく形成される。 
【００１５】
上記人工歯１の両側と結合部材の前方両側は抜歯部位の両側の歯Ｔが形成する空間より広く形成される。
【００１６】
そして、ブリッジ２の両側には抜歯部位の両側の歯Ｔの後面と接する部位は歯Ｔの後面と同じ曲面７が形成されて、歯Ｔの非機能咬頭と辺縁隆線を覆うことができる支持カバー８が形成される。
【００１７】
ここで辺縁隆線とは、隣接された歯列で歯と歯が接する部分の歯の角部を言う。
【００１８】
このように構成された本発明は損傷された歯の抜歯部位に人工歯１を固定させて、患者が生活の中で損傷された歯による不便を感じないようにするために施術される。
【００１９】
特に、本発明は、口を開けた時、人工歯１だけ外部に露出されることによって見掛けがよく、人工歯１に設置された結合部材がブリッジ２に挿入されて結合されることによって、施術が便利で、人工歯１の前方と後方に力が作用しても固定状態が堅固に保持されるという特徴がある。
【００２０】
これは、図１〜図２に示すように、抜歯部位の両側の歯Ｔが形成する空間の広さより前面が広く形成された人工歯１が人工歯１の後面に設置された結合部材の結合突起４によってブリッジ２の結合孔５に傾斜して挿入され、同時に、係止片３をブリッジ２の上端に係止して固定した後、バインダーＢを結合孔５の後側から注入して結合突起４が接着されて固定されるようにした構造によって達成される。
【００２１】
即ち、人工歯１の後面に設置された結合部材を図３〜図４に示すようにブリッジ２に挿入して固定すれば、結合部材の係止片３と結合突起４との間に形成された空間に、結合孔５とブリッジ２の上端との間に位置したブリッジ２の一部が挿入されて支持台の役割を果たす。
【００２２】
従って、結合部材が上方から下方に傾斜してブリッジ２に結合されることによって、結合部材が前方から後方にブリッジ２に水平に結合する構造より、食べ物を裂く時、人工歯１に発生する力と回転を容易に耐えることができ、また、結合部材が挿入されて固定される構造を通じて従来より施術が簡便である。
【００２３】
また、図５及び図６のように、人工歯１の両側と結合部材の前方両側は抜歯部位の両側に位置した歯Ｔが形成する空間より広く形成され、これは食べ物を咬んだり外部から衝撃が発生した時、抜歯部位の両側に位置した歯Ｔを支持台として、人工歯１が後方に押されることを防止するためである。
【００２４】
これによって、人工歯１が露出されても、従来のように、人工歯１が後方に押されることを防止するために、人工歯１の両側に設置される翼部がなくて、人工歯１以外に無切削ブリッジ歯科補綴物１００の他の部位が露出されなくて見掛けがよく、抜歯部位の両側の歯Ｔによって堅固に固定される。
【００２５】
また、図３〜図４に示すように、結合突起４の端部には所定深さの接着溝６が形成され、上記結合孔５の内面には結合突起４が結合孔５に挿入された状態で接着溝６に対応する位置に結合溝５ａが形成され、結合溝５ａと結合孔５の後側との間は結合孔５の前方の内径より大きく且つ結合溝５ａの内径よりは小さく形成されて、バインダーＢを通じて人工歯１がブリッジ２に堅固に固定されるようにする。
【００２６】
即ち、バインダーＢを結合孔５の後側に注入し、接着溝６と結合孔５に満たされて凝固されると、人工歯１に前方への力が作用してもバインダーＢが接着溝６と結合溝５ａに係止されて人工歯１を支持する。
【００２７】
また、凝固されたバインダーＢは前方が結合突起４の後側と結合孔５の後側との間の空間より広く形成されて、衝撃などによって後方に引き出されることが防止され、それによって、人工歯１をブリッジ２に堅固に固定させることができる。 
【００２８】
図１に示すように、ブリッジ２には抜歯部位に形成される結合孔５だけでなく、抜歯部位の両側に位置した歯Ｔに堅固に固定されることができるように曲面７と支持カバー８が形成される。
【００２９】
これは上顎と下顎の交合関係及び歯の構造を考慮してブリッジ２が歯Ｔに堅固に固定されることができるように、曲面７と支持カバー８を通じてブリッジ２を固定するための固定面積を最大限に確保することができるようにするためである。
【００３０】
また、上記ブリッジ２の曲面７と支持カバー８の内側面にはバインダーを塗布して抜歯部位の両側に位置した歯Ｔに堅固に接着されて固定されることによって、人工歯１が食べ物を咀嚼する際発生する力や回転に対して堅固に固定される。
【００３１】
このように構成された本発明の第１実施形態は、前歯及び犬歯のように、食べ物を裂くために用いられる歯に適用可能な構造を有し、第１実施形態を変形して小臼歯と奥歯に適用される第２実施形態を構成することができる。
【００３２】
この時、図７〜図１０に示す第２実施形態は、第１実施形態の構成において、上記結合部材の上側に水平に突設され、下面が湾曲型に形成された支持片９が係止片３の代わりに形成され、上記結合突起４は支持片９の下面の曲面と同じ形状に突設される。
【００３３】
これによって、第２実施形態の結合部材を通じてブリッジ２に結合された小臼歯や奥歯の形態の人工歯１は前方に作用する力と、垂直方向に発生する圧縮力を容易に支持することができる。
【００３４】
即ち、第１実施形態と同様に、支持片９と結合突起４との間に挿入されたブリッジ２に人工歯１の結合部材が係止されて前方に作用する力を支持し、小臼歯と奥歯の上面が広く形成された構造と同じく支持片９が水平に突設されて、人工歯１の上面に作用する垂直方向の力を容易に耐えるようにした。
【００３５】
そして第２実施形態の施術は第１実施形態と同様に、ブリッジ２を抜歯部位の両側に位置した歯Ｔの後面にバインダーで接着して固定して人工歯１に一体に設置された結合部材を抜歯部位に位置したブリッジ２の結合孔５に結合部材の結合突起４を対角方向に挿入してブリッジ２の後面に突出された結合突起４の端部をバインダーＢで接着して固定すれば良い。
【００３６】
このように、本発明の無切削ブリッジ歯科補綴物１００は抜歯部位に隣接した歯Ｔを切削しなくても、食べ物の咀嚼の時、抜歯部位に堅固に固定されて無切削ブリッジ歯科補綴物１００の脱落率が最小化され、人工歯１以外に露出される部位がなくて見掛けがよく、結合部材が人工歯１に一体に設置されることによって施術者及び患者に不便を誘発しないで簡便に施術することができる。
【図１】
2014516754.tif 000003
【図２】
2014516754.tif 000004
【図３】
2014516754.tif 000005
【図４】
2014516754.tif 000006
【図５】
2014516754.tif 000007
【図６】
2014516754.tif 000008
【図７】
2014516754.tif 000009
【図８】
2014516754.tif 000010
【図９】
2014516754.tif 000011
【図１０】
2014516754.tif 000012
【国際調査報告】
2014516754.tif 000013
2014516754.tif 000014
2014516754.tif 000015
2014516754.tif 000016